(57)【要約】【課題】貯湯タンクおよび補助熱源機を備えた給湯システムにおいて、給湯温度の変動を抑制する。【解決手段】制御装置５は、貯湯タンク２１の湯水が設定温度以上である場合において給湯運転が開始されたときには、補助熱源機３に燃焼許可指令を出力するとともに、配管４１の設定容量に相当する量の湯水が補助熱源機２に入力されると、補助熱源機２に燃焼禁止指令を出力する。補助熱源機３の制御部６は燃焼許可指令を受けると、要求発生熱量に応じて、熱交換器３２の湯水の流れ方向に並べて配置された複数の燃焼領域のうちの第１の燃焼領域を燃焼状態とするとともに、燃焼動作の実行中に燃焼禁止指令を受けると、第１の燃焼領域を非燃焼状態に遷移させる。制御部６は燃焼動作を停止した後の第１の基準時間において、複数の燃焼領域のうち、湯水の流れ方向の最下流側に配置されている燃焼領域を含む少なくとも１つの燃焼領域を燃焼状態に遷移させる。【選択図】図１
2020085337.tif 000002
【特許請求の範囲】
【請求項１】
主熱源によって加熱された湯水を蓄積するための貯湯タンクと、
前記貯湯タンクの湯水が供給される配管と、
前記配管から供給される湯水を設定温度に加熱して出力する補助熱源機と、
前記補助熱源機の動作を制御する制御装置とを備え、
前記制御装置は、前記貯湯タンクの湯水が前記設定温度以上である場合において給湯運転が開始されたときには、前記補助熱源機に燃焼許可指令を出力するとともに、前記配管の設定容量に相当する量の湯水が前記補助熱源機に入力されると、前記補助熱源機に燃焼禁止指令を出力するように構成され、
前記補助熱源機は、
燃焼部と、
前記燃焼部の発生熱量によって前記配管から入力される湯水を加熱する熱交換器と、
前記制御装置からの前記燃焼許可指令および前記燃焼禁止指令に従って、前記燃焼部の燃焼動作を制御する制御部とを含み、
前記燃焼部は、前記熱交換器の湯水の流れ方向に並べて配置された複数の燃焼領域を有しており、
前記制御部は、前記燃焼許可指令を受けると、要求発生熱量に応じて前記複数の燃焼領域のうちの第１の燃焼領域を燃焼状態とすることにより前記燃焼動作を実行するとともに、前記燃焼動作の実行中に前記燃焼禁止指令を受けると、前記第１の燃焼領域を非燃焼状態に遷移させることにより前記燃焼動作を停止するように構成され、
前記制御部は、前記燃焼動作を停止した後の第１の基準時間において、前記複数の燃焼領域のうち、湯水の流れ方向の最下流側に配置されている燃焼領域を含む少なくとも１つの燃焼領域を燃焼状態に遷移させる、給湯システム。
【請求項２】
前記熱交換器は、
湯水の流れ方向の下流側に設けられ、前記燃焼部の燃焼ガスの主として顕熱を回収する一次熱交換器と、
湯水の流れ方向の上流側に設けられ、顕熱回収後の燃焼排気ガスの主として潜熱を回収する二次熱交換器とを有し、
前記補助熱源機は、前記二次熱交換器および前記一次熱交換器に湯水を通過させるための入水管をさらに含み、
前記制御部は、前記燃焼動作を停止した後、前記入水管および前記二次熱交換器の設定容量に相当する量の湯水が前記補助熱源機に入力されたときに、前記第１の基準時間、前記少なくとも１つの燃焼領域を燃焼状態に遷移させる、請求項１に記載の給湯システム。
【請求項３】
前記制御部はさらに、前記燃焼動作を停止した後であって、前記第１の基準時間よりも前の第２の基準時間において、前記第１の燃焼領域よりも湯水の流れ方向の上流側に配置された第２の燃焼領域を燃焼状態に遷移させる、請求項１または２に記載の給湯システム。
【請求項４】
前記制御部は、前記燃焼禁止指令を受けると、前記第１の燃焼領域を非燃焼状態に遷移させるとともに、前記第２の燃焼領域を燃焼状態に遷移させる、請求項３に記載の給湯システム。
【請求項５】
貯湯タンクから配管を通して供給される湯水を設定温度に加熱して出力する補助熱源機であって、
燃焼部と、
前記燃焼部の発生熱量によって前記配管から入力される湯水を加熱する熱交換器と、
燃焼許可指令および燃焼禁止指令に従って前記燃焼部の燃焼動作を制御する制御部とを備え、
前記燃焼部は、前記熱交換器の湯水の流れ方向に並べて配置された複数の燃焼領域を有しており、
前記制御部は、前記燃焼許可指令を受けると、要求発生熱量に応じて前記複数の燃焼領域のうちの第１の燃焼領域を燃焼状態とすることにより、前記燃焼動作を実行するとともに、前記燃焼動作の実行中に前記燃焼禁止指令を受けると、前記第１の燃焼領域を非燃焼状態に遷移させることにより前記燃焼動作を停止するように構成され、
前記制御部は、前記燃焼動作を停止した後の第１の基準時間において、前記複数の燃焼領域のうち、湯水の流れ方向の最下流側に配置されている燃焼領域を含む少なくとも１つの燃焼領域を燃焼状態に遷移させる、補助熱源機。
【請求項６】
前記熱交換器は、
湯水の流れ方向の下流側に設けられ、前記燃焼部の燃焼ガスの主として顕熱を回収する一次熱交換器と、
湯水の流れ方向の上流側に設けられ、顕熱回収後の燃焼排気ガスの主として潜熱を回収する二次熱交換器とを有し、
前記補助熱源機は、前記二次熱交換器および前記一次熱交換器に湯水を通過させるための入水管をさらに含み、
前記制御部は、前記燃焼動作を停止した後、前記入水管および前記二次熱交換器の設定容量に相当する量の湯水が前記補助熱源機に入力されたときに、前記第１の基準時間、前記少なくとも１つの燃焼領域を燃焼状態に遷移させる、請求項５に記載の補助熱源機。
【請求項７】
前記制御部はさらに、前記燃焼動作を停止した後であって、前記第１の基準時間よりも前の第２の基準時間において、前記第１の燃焼領域よりも湯水の流れ方向の上流側に配置された第２の燃焼領域を燃焼状態に遷移させる、請求項５または６に記載の補助熱源機。
【請求項８】
前記制御部は、前記燃焼動作を停止したとき、前記第２の基準時間、前記第２の燃焼領域を燃焼状態に遷移させる、請求項７に記載の補助熱源機。
【発明の詳細な説明】
【技術分野】
【０００１】
この発明は、給湯システムおよび補助熱源機に関する。
【背景技術】
【０００２】
特開２０１５−２２２１４２号公報（特許文献１）には、高温の湯水を貯湯する貯湯タンクから給湯栓等の給湯先に給湯可能な給湯システムが開示されている。この給湯システムは、貯湯タンクに貯留されている湯水の温度が低い場合に湯水を再加熱するための補助熱源機と、補助熱源機を制御するためのコントローラとを備えている。
【０００３】
上記給湯システムにおいて、貯湯タンクと補助熱源機とは、数メートルに及ぶ長さを有する配管によって接続されることがある。そこで、配管内の湯水が冷えている場合、コントローラは、出湯と同時に貯湯タンクから設定温度の湯水を出湯させつつ、補助熱源機を燃焼させる。その後、補助熱源機の入水温度または缶体温度を監視し、燃焼禁止条件が成立すると、コントローラは補助熱源機の燃焼動作を停止させることにより、バックアップ出湯からタンク出湯に切り換える。
【先行技術文献】
【特許文献】
【０００４】
【特許文献１】特開２０１５−２２２１４２号公報
【発明の概要】
【発明が解決しようとする課題】
【０００５】
しかしながら、上記給湯システムにおいては、燃焼禁止条件の成立に従って補助熱源機の燃焼動作を停止すると、以後、補助熱源機には貯湯タンクから設定温度に調整された湯水が配管を経由して入水される。そして、この入水された湯水は、非燃焼状態の補助熱源機を素通りして給湯栓に送られる。
【０００６】
しかしながら、燃焼動作を停止した時点において、補助熱源機内の入水管および熱交換器の一部分には、未だ加熱されていない非加熱の湯水が存在する場合がある。この非加熱水は、燃焼動作の停止後、補助熱源機内の冷残水となり得る。
【０００７】
その結果、バックアップ出湯からタンク出湯への移行時において、貯湯タンクからの湯水が補助熱源機に入水するよりも前に、この冷残水が給湯栓に送られて出湯されることになる。したがって、燃焼動作の停止後において給湯温度の一時的な変動が生じることが懸念される。
【０００８】
この発明は、上記課題に鑑みてなされたものであり、その目的は、貯湯タンクおよび補助熱源機を備えた給湯システムにおいて、給湯温度の変動を抑制することである。
【課題を解決するための手段】
【０００９】
この発明のある局面によれば、給湯システムは、主熱源によって加熱された湯水を蓄積するための貯湯タンクと、貯湯タンクの湯水が供給される配管と、配管から供給される湯水を設定温度に加熱して出力する補助熱源機と、補助熱源機の動作を制御する制御装置とを備える。制御装置は、貯湯タンクの湯水が設定温度以上である場合において給湯運転が開始されたときには、補助熱源機に燃焼許可指令を出力するとともに、配管の設定容量に相当する量の湯水が補助熱源機に入力されると、補助熱源機に燃焼禁止指令を出力するように構成される。補助熱源機は、燃焼部と、燃焼部の発生熱量によって配管から入力される湯水を加熱する熱交換器と、制御装置からの燃焼許可指令および燃焼禁止指令に従って、燃焼部の燃焼動作を制御する制御部とを含む。燃焼部は、熱交換器の湯水の流れ方向に並べて配置された複数の燃焼領域を有している。制御部は、燃焼許可指令を受けると、要求発生熱量に応じて複数の燃焼領域のうちの第１の燃焼領域を燃焼状態とすることにより燃焼動作を実行するとともに、燃焼動作の実行中に燃焼禁止指令を受けると、第１の燃焼領域を非燃焼状態に遷移させることにより燃焼動作を停止するように構成される。制御部は、燃焼動作を停止した後の第１の基準時間において、複数の燃焼領域のうち、湯水の流れ方向の最下流側に配置されている燃焼領域を含む少なくとも１つの燃焼領域を燃焼状態に遷移させる。
【００１０】
この発明の別の局面によれば、補助熱源機は、貯湯タンクから配管を通して供給される湯水を設定温度に加熱して出力するように構成される。補助熱源機は、燃焼部と、燃焼部の発生熱量によって配管から入力される湯水を加熱する熱交換器と、燃焼許可指令および燃焼禁止指令に従って燃焼部の燃焼動作を制御する制御部とを備える。燃焼部は、熱交換器の湯水の流れ方向に並べて配置された複数の燃焼領域を有している。制御部は、燃焼許可指令を受けると、要求発生熱量に応じて複数の燃焼領域のうちの第１の燃焼領域を燃焼状態とすることにより、燃焼動作を実行するとともに、燃焼動作の実行中に燃焼禁止指令を受けると、第１の燃焼領域を非燃焼状態に遷移させることにより燃焼動作を停止するように構成される。制御部は、燃焼動作を停止した後の第１の基準時間において、複数の燃焼領域のうち、湯水の流れ方向の最下流側に配置されている燃焼領域を含む少なくとも１つの燃焼領域を燃焼状態に遷移させる。
【発明の効果】
【００１１】
この発明によれば、貯湯タンクおよび補助熱源機を備えた給湯システムにおいて、給湯温度の変動を抑制することができる。
【図面の簡単な説明】
【００１２】
【図１】本発明の実施の形態に係る給湯システムの概略構成図である。
【図２】本実施の形態に係る給湯システムの制御構成を説明するための機能ブロック図である。
【図３】タンクコントローラにおける給湯最適化処理を説明するためのフローチャートである。
【図４】給湯器コントローラにおける給湯最適化処理を説明するためのフローチャートである。
【図５】補助熱源機の作動原理図である。
【図６】一次熱交換器における湯水の流れを説明するための図である。
【図７】図５に示す燃焼バーナにおける燃焼動作の段数の変更を説明するための図である。
【図８】給湯器コントローラによる冷残水加熱処理を概念的に説明するための概略図である。
【図９】冷残水加熱処理における燃焼領域の切り替えを説明するための図である。
【図１０】図４のステップＳ２６の冷残水加熱処理の手順を説明するためのフローチャートである。
【図１１】本実施の形態の変形例に係る給湯システムの概略構成図である。
【発明を実施するための形態】
【００１３】
以下、本発明の実施の形態について図面を参照して詳細に説明する。なお、以下では、図中の同一または相当部分には同一符号を付して、その説明は原則的に繰返さないものとする。
【００１４】
［給湯システムの構成］
図１は、本発明の実施の形態に係る給湯システムの概略構成図である。図１を参照して、給湯システムは、主熱源装置１と、タンクユニット２と、補助熱源機３とを備える。給湯システムは、貯湯および給湯機能を有するとともに、図示しない浴槽への給湯および浴槽の追焚き、床暖房パネル等の温水暖房端末への暖房水の供給等の機能を有している。
【００１５】
（主熱源装置の構成）
最初に、主熱源装置１の構成について説明する。
【００１６】
主熱源装置１は、タンクユニット２の貯湯タンク２１内の湯水を加熱するように構成される。図１の例では、主熱源装置１は、燃料電池１１と、排熱回収用熱交換器１２と、熱源コントローラ１０とを有する。
【００１７】
燃料電池１１は、図示しないガス供給系から供給されるガスを燃料として発電する。排熱回収用熱交換器１２は、燃料電池１１から発生する排熱を熱源とする。排熱回収用熱交換器１２は、燃料電池１１の排熱と、タンクユニット２の貯湯タンク２１の底部から蓄熱循環回路２２を経由して供給される湯水との熱交換を行なう。熱源コントローラ１０は、燃料電池１１の作動制御を行なう。
【００１８】
なお、主熱源装置１は、熱源として、燃料電池または図示しないガスエンジン等の作動に伴い発生する排熱を用いるもの以外に、ヒートポンプを用いるもの、または集熱パネルにより集熱した太陽熱を用いるもの等を適宜採用することができる。
【００１９】
（タンクユニットの構成）
次に、タンクユニット２の構成について説明する。
【００２０】
タンクユニット２は、貯湯タンク２１と、蓄熱循環回路２２と、給水回路２３と、給湯回路２４と、高温回避部２５と、タンクコントローラ５とを有する。
【００２１】
貯湯タンク２１は、主熱源装置１によって加熱された高温の湯水を貯湯する。貯湯タンク２１は密閉タンクであり、タンクの周囲が断熱材で覆われている。貯湯タンク２１の外周部には、少なくとも頂部位置を含む高さ方向の複数箇所に複数の残湯水量センサ２１１が設けられる。残湯水量センサ２１１は、各高さ位置における貯湯の湯温を検出可能に構成される。これにより、貯湯タンク２１内の上部側から貯湯される所定温度以上（例えば６５℃以上）の高温水の残量を検出することができる。
【００２２】
蓄熱循環回路２２は、貯湯タンク２１と主熱源装置１との間に湯水を循環させて湯水を加熱する閉回路である。蓄熱循環回路２２は、上流端が貯湯タンク２１の底部に接続され、下流端が貯湯タンク２１の頂部に接続されている。蓄熱循環回路２２は、蓄熱用循環ポンプ２２１が作動すると、貯湯タンク２１の底部から貯湯タンク２１内の比較的低温の湯水を取り出し、排熱回収用熱交換器１２を通過することで加熱された湯水を貯湯タンク２１の頂部に戻すように構成される。これにより、貯湯タンク２１内で温度成層を形成しつつ所定温度（例えば６５℃以上）の湯水として蓄熱されることになる。
【００２３】
なお、貯湯タンク２１と主熱源装置１との間の蓄熱循環回路２２には、三方切換弁２２２を介してバイパス管２２３が設けられている。主熱源装置１の作動開始直後に主熱源装置１から供給される比較的低温の湯水を、流路を切り換えた三方切換弁２２２およびバイパス管２２３を経由して主熱源装置１に循環させることで、低温の湯水を貯湯タンク２１の頂部に戻さないようにすることができる。
【００２４】
給水回路２３は、上水源から水道水等の低温水を貯湯タンク２１等に供給する。給水回路２３は、主給水管２３１と、混合用給水管２３２とに分岐される。主給水管２３１は、下流端が貯湯タンク２１の底部に接続されている。主給水管２３１は、貯湯タンク２１内の湯水が頂部から出湯されるのに伴い、貯湯タンク２１の底部に水道水が給水されるように構成される。混合用給水管２３２の下流端は、混合部２７に対して流量調整弁２３３を介して給水可能に接続されている。主給水管２３１と混合用給水管２３２との分岐部よりも上流側の給水回路２３には、温度センサ２３０が配置される。温度センサ２３０は低温水の温度を検出する。
【００２５】
給湯回路２４は、貯湯タンク２１から供給される湯水を給湯栓Ｋに給湯する。具体的には、給湯回路２４は、給湯管２４１と、流量調整弁２４２と、混合部２７と、温度センサ２４３，２４５と、流量センサ２４４とを有する。
【００２６】
給湯管２４１は、上流端が貯湯タンク２１の頂部に接続され、下流端がタンクユニット２の接続口２０１に接続される。混合部２７は、給湯管２４１の途中位置に、流量調整弁２４２を介して設けられる。温度センサ２４３および流量センサ２４４は、混合部２７の下流側に配置される。温度センサ２４３は、高温水および低温水が混合された後の給湯温度を検出する。流量センサ２４４は、給湯管２４１を通過する流量（以下、給湯流量）を検出する。温度センサ２４５は、混合部２７の上流側に配置され、貯湯タンク２１から出湯された直後の高温水の温度を検出する。
【００２７】
混合部２７は、給湯管２４１の上流側から供給されて流量調整弁２４２を経由して流量が調整された高温水と、混合用給水管２３２から供給されて流量調整弁２３３を経由して流量が調整された低温水とを所定の割合で混合させる。これにより、ユーザがリモコン５１等で設定した給湯温度（以下、設定温度とも称する）に調整された湯水を補助熱源機３および給湯栓Ｋに供給することができる。
【００２８】
上述した混合部２７における制御は、タンクコントローラ５によって実行され得る。具体的には、タンクコントローラ５は、温度センサ２４３により検出された給湯温度に基づいて、流量調整弁２４２および／または流量調整弁２３３の開度をフィードバック制御する。
【００２９】
なお、図１の例では、混合部２７を挟んで設けた流量調整弁２４２および流量調整弁２３３によって湯水を混合する構成について説明したが、これら２つの流量調整弁に代えて、混合部２７に混合制御弁２７１を設ける構成としてもよい。混合制御弁２７１は、高温側および低温側に流入口を有しており、内部で高温水と低温水とを所定の割合で混合することが可能に構成されている。
【００３０】
高温回避部２５は、給湯回路２４からの高温出湯を回避する。高温回避部２５は、バイパス管２５１と、高温回避弁２５２とを有する。バイパス管２５１は、混合用給水管２３２と、混合部２７の下流側の給湯管２４１とを接続する。高温回避弁２５２は電磁開閉弁であり、バイパス管２５１を開閉する。高温回避弁２５２は常時閉状態に維持されている。タンクコントローラ５により高温回避弁２５２が開状態に切り換えられると、混合部２７からの給湯に対し、高温出湯の回避に十分な量の水を供給して混合することができる。
【００３１】
（補助熱源機の構成）
次に、補助熱源機３の構成について説明する。
【００３２】
補助熱源機３は、タンクユニット２のバックアップ給湯器として機能し得る。補助熱源機３には、専用の給湯器あるいは、図１に示す給湯システムが設置される住宅に既に設置されている給湯器を用いることができる。タンクユニット２と補助熱源機３とは離隔して（例えば１．５ｍ〜１０ｍ程度）設置されている。タンクユニット２の接続口２０１と補助熱源機３の入水接続口３１１とは接続配管４１を介して接続される。
【００３３】
補助熱源機３は、タンクユニット２の貯湯タンク２１に高温の湯水が十分にある場合、燃焼禁止状態に設定されている。一方、タンクユニット２の混合部２７から供給される湯水の給湯温度が設定温度に満たない場合には、補助熱源機３は燃焼禁止状態が解除されて作動することにより、設定温度まで補助的に加熱することができる。
【００３４】
図１に示すように、補助熱源機３は、入水接続口３１１と、熱交換器３２および燃焼バーナ３３等が格納された燃焼缶体４（以下、単に「缶体」とも称する）と、入水管３１と、出湯管３４と、バイパス管３８と、出湯接続口３４１と、給湯器コントローラ６とを有する。
【００３５】
入水接続口３１１には接続配管４１の下流端が接続される。入水管３１には、入水接続口３１１を介してタンクユニット２からの湯水が供給される。入水管３１および出湯管３４の間には、缶体４をバイパスして、入水管３１からの湯水を通流するためのバイパス管３８が配置される。入水管３１およびバイパス管３８の間には、バイパス管３８の流量を制御するための流量調整弁３８１が接続される。
【００３６】
流量調整弁３８１を経由して缶体４へ供給された湯水は、熱交換器３２によって加熱される。熱交換器３２は後述するように、湯水の流れ方向の下流側に設けられ、燃焼ガスの主として顕熱を回収する一次熱交換器と、湯水の流れ方向の上流側に設けられ、顕熱回収後の燃焼排気ガスの主として潜熱を回収する二次熱交換器とを有する。
【００３７】
出湯管３４は、熱交換器３２で加熱された湯水を出力する。出湯管３４はバイパス管３８と接続される。したがって、缶体４によって加熱された出湯管３４からの高温水と、バイパス管３８を通流した低温水とが混合されて、出湯接続口３４１から出力される。
【００３８】
入水管３１の上流端は入水接続口３１１に接続され、下流端は熱交換器３２に接続されている。入水管３１には温度センサ３５および流量センサ３６が配置される。温度センサ３５は、タンクユニット２からの湯水の温度（以下、入水温度とも称する）を検出する。流量センサ３６は、流量調整弁３８１よりも下流側（缶体側）に配置され、缶体４を通過する流量（以下、缶体流量とも称する）を検出する。
【００３９】
出湯管３４の上流端は、熱交換器３２に接続され、出湯管３４の下流端は出湯接続口３４１に接続される。出湯管３４のバイパス管３８が接続される合流部の上流側（缶体側）には温度センサ３４２が配置される。温度センサ３４２は、缶体４からの出力温度（以下、缶体温度とも称する）を検出する。
【００４０】
出湯管３４のバイパス管３８が接続される合流部の下流側には温度センサ３７および流量調整弁３４３が配置される。温度センサ３７は加熱水および非加熱水が混合された後の給湯温度を検出する。流量調整弁３４３は、缶体４での加熱能力の不足により設定温度に従って給湯することが困難な場合に、給湯流量を絞るように制御される。
【００４１】
流量調整弁３８１は、タンクユニット２の出湯中は、バイパス管３８の流量が最大となるように弁ポジションがバイパス管３８側全開に調整される。一方、補助熱源機３によるバックアップ出湯中は、熱交換器３２で加熱された高温水とバイパス管３８を流れる低温水とを混合して給湯設定温度の湯水が補助熱源機３から出湯されるように弁ポジションが適宜調整される。
【００４２】
以上説明したように、給湯管２４１、接続配管４１、入水管３１、出湯管３４および給湯配管４２によって、貯湯タンク２１から給湯栓Ｋまでの給湯のための流路が形成される。本実施の形態に係る給湯システムでは、補助熱源機３が当該流路において混合部２７よりも下流側に配置されている。
【００４３】
（給湯システムの制御構成）
次に、図１に示した給湯システムの制御構成について説明する。
【００４４】
図２は、本実施の形態に係る給湯システムの制御構成を説明するための機能ブロック図である。
【００４５】
図２を参照して、タンクコントローラ５は、マイクロコンピュータ５０２および通信部５０６を有する。マイクロコンピュータ５０２は、メモリ５０４ならびに図示しないＣＰＵ（Central  Processing  Unit）および入出力インターフェイスを内蔵する。通信部５０６は通信機能を有する。マイクロコンピュータ５０２は、メモリ５０４に記憶されたプログラムを実行することによって、リモコン５１へ入力されたユーザ指令に従って、給湯システムの動作を制御する。代表的には、マイクロコンピュータ５０２によって、給湯システムからの給湯温度が制御される。
【００４６】
給湯器コントローラ６は、マイクロコンピュータ６０２および通信部６０６を有する。マイクロコンピュータ６０２は、マイクロコンピュータ５０２と同様に構成されて、メモリ６０４を内蔵する。通信部５０６は通信機能を有する。
【００４７】
熱源コントローラ１０は、マイクロコンピュータ１０２および通信部１０６を有する。マイクロコンピュータ１０２は、マイクロコンピュータ５０２と同様に構成されて、メモリ１０４を内蔵する。通信部１０６は通信機能を有する。
【００４８】
リモコン５１は、表示部５１６と、操作部５１８と、マイクロコンピュータ５１０と、通信部５１４とを有する。表示部５１６は、代表的には液晶パネルによって構成することができる。操作部５１８は、給湯システムの運転を入り切りするための運転スイッチおよび操作スイッチを含む。操作部５１８は、代表的にはプッシュボタンやタッチボタンによって構成することができる。マイクロコンピュータ５１０は、マイクロコンピュータ５０２と同様に構成され、メモリ５１２を内蔵する。通信部５１４は通信機能を有する。
【００４９】
タンクコントローラ５、給湯器コントローラ６、熱源コントローラ１０およびリモコン５１の各々は、通信部５０６，６０６，１０６，５１４を用いて、互いに双方向に通信することができる。
【００５０】
図２に示す構成において、タンクコントローラ５は、リモコン５１から設定温度等の操作信号および各種温度センサおよび流量センサ等の出力信号（検出値）を受けて、給湯システムの全体動作を制御するために、各機器への制御指令を発生する。制御指令には、主熱源装置１への制御指令および補助熱源機３への制御指令が含まれる。
【００５１】
補助熱源機３において、給湯器コントローラ６は、主に缶体４での燃焼動作を制御する。給湯器コントローラ６は、独自に缶体４での燃焼動作を制御する一方で、タンクコントローラ５からの制御指令または情報を受けると、これらの指令に基づいて独自の制御が制限されるように構成される。
【００５２】
例えば、ユーザにより給湯栓Ｋが開かれることによって流量センサ３６が最低作動流量（ＭＯＱ）以上の流量を検出すると、給湯器コントローラ６は、缶体４での燃焼動作を開始し、入水される湯水を設定温度まで加熱して給湯栓Ｋに給湯する。具体的には、給湯器コントローラ６は、燃焼動作が開始されると、給湯温度が設定温度に一致するように、流量調整弁３８１の開度および、缶体４での発生熱量（すなわち、燃焼バーナ３３への供給熱量）を制御する。
【００５３】
一方、タンクコントローラ５から燃焼禁止指令を受けると、給湯器コントローラ６は、たとえＭＯＱ以上の流量を検出していたとしても、燃焼許可指令が出力されるまで燃焼停止状態を維持するように構成される。
【００５４】
次に、本実施の形態に係る給湯システムにおいて実行される給湯最適化処理および、その前提となる接続配管４１の配管容量の取得処理について説明する。本願明細書において、給湯最適化処理とは、タンクユニット２と補助熱源機３と接続するための接続配管４１の存在に伴い、給湯栓Ｋからの給湯温度が変動することを抑制して一定温度に保持されるよう給湯を最適化するための処理をいう。
【００５５】
（接続配管の配管容量の取得処理）
最初に、接続配管４１の配管容量の取得処理について説明する。接続配管４１の配管容量の取得処理は、貯湯タンク２１からの給湯運転の初期段階に行なわれる。
【００５６】
この処理の原理は、タンクユニット２から出力された湯水が接続配管４１を通って補助熱源機３に入水するまでの到達時間の間に流量を積算し、得られた積算値を接続配管４１の配管容量Ｐ１の初期値として記憶することである。
【００５７】
あるいは、上記到達時間内では大きな流量変動がないと仮定して、到達時間および代表的な流量（または平均流量）を計測し、これら２つの計測値を乗じて得られる容量を配管容量Ｐ１とすることができる。
【００５８】
具体的には、貯湯タンク２１内に設定温度以上の高温水（例えば６５℃以上の湯水）が所定量以上ある場合には、給湯栓Ｋが開かれてＭＯＱが検出されたとき、その高温水は、給湯管２４１を流れて混合部２７で低温水と混合されることで設定温度（例えば４０℃）に調整されて温度センサ２４３に至ることになる。
【００５９】
タンクコントローラ５は、温度センサ２４３の検出温度を監視し、その検出温度が設定温度まで上昇した時点から、同じ検出温度を補助熱源機３の入水管３１に配置された温度センサ３５が検出する時点までの時間値の範囲で流量センサ２４４による検出流量を積算する。タンクコントローラ５は、得られた流量積算値を接続配管４１の配管容量Ｐ１の初期値として記憶する。
【００６０】
なお、接続配管４１の配管容量は、現場に施工した接続配管４１の配管容量の実測値または演算値を配管容量Ｐ１として、供用開始前の試験運転の際に予め設定し記憶させることもできる。
【００６１】
（給湯最適化処理）
次に、図３および図４を参照して、給湯最適化処理について説明する。
【００６２】
図３は、タンクコントローラ５における給湯最適化処理を説明するためのフローチャートである。図３のフローチャートは予めプログラムとしてメモリ５０４に格納される。マイクロコンピュータ５０２は、プログラムをメモリ５０４から読み出し実行することにより図３に示される処理が実現される。
【００６３】
図３を参照して、タンクコントローラ５は、残湯水量センサ２１１（図１参照）の出力信号に基づいて、貯湯タンク２１内に設定温度以上の高温水（例えば６５℃以上の湯水）が所定量以上有るか否かを判定する。貯湯タンク２１内に高温水は所定量以上有る場合（Ｓ０１にてＹＥＳ）、タンクコントローラ５は続いて、接続配管４１内が冷えているか否かを判定する（ステップＳ０２）。具体的には、タンクコントローラ５は、補助熱源機３内の温度センサ３５により検出される入水温度が予め設定された基準温度よりも低いか否かを判定する。基準温度は、設定温度（例えば４０℃）よりもΔＴ℃だけ低い温度（４０−ΔＴ℃）に設定されている。ΔＴ℃は例えば２℃程度である。
【００６４】
補助熱源機３への入水温度が基準温度（設定温度−ΔＴ℃）より高い場合（Ｓ０２のＮＯ判定時）、タンクコントローラ５は接続配管４１内が冷えていないと判定する。この場合、タンクコントローラ５は給湯器コントローラ６に対して燃焼禁止指令を出力する（ステップＳ０３）。
【００６５】
一方、補助熱源機３への入水温度が基準温度よりも低い場合（Ｓ０２にてＹＥＳ）、タンクコントローラ５は、接続配管４１内が冷えていると判定し、給湯器コントローラ６へ燃焼許可指令を出力する（ステップＳ０４）。
【００６６】
ステップＳ０４にて燃焼許可指令を出力すると、タンクコントローラ５は、補助熱源機３の流量センサ３６により検出される流量が最低作動流量（ＭＯＱ）を超えたか否かを判定する（ステップＳ０５）。流量がＭＯＱを超えていない場合（Ｓ０５にてＮＯ）、タンクコントローラ５は処理を終了する。
【００６７】
一方、燃焼が許可された状態で流量がＭＯＱを超えると（すなわちＭＯＱがＯＮすると）（Ｓ０５にてＹＥＳ）、給湯器コントローラ６は、缶体４での燃焼動作を開始する。これにより、補助熱源機３では、熱交換器３２で缶体４の設定温度にまで加熱された湯水が、バイパス管３８から供給される湯水と混合され、給湯設定温度で出湯管３４および給湯配管４２を経由して給湯栓Ｋに向けて出力される。
【００６８】
この給湯中において、タンクコントローラ５は、流量センサ２４４により検出される給湯管２４１を通流する湯水の流量を積算する。タンクコントローラ５は、流量の積算値と設定配管容量Ｐ１とを比較することにより、設定配管容量Ｐ１分の湯水が補助熱源機３を通過したか否かを判定する（ステップＳ０６）。
【００６９】
流量積算値が設定配管容量Ｐ１に到達していれば、タンクコントローラ５は、設定配管容量Ｐ１分の湯水が通過したと判定し（Ｓ０６にてＹＥＳ）、給湯器コントローラ６へ燃焼禁止指令を出力する（ステップＳ０７）。一方、流量積算値が設定配管容量Ｐ１に満たなければ、タンクコントローラ５は、ステップＳ０５に戻り、流量積算値と設定配管容量Ｐ１との比較をＭＯＱがＯＮである限り継続する。
【００７０】
給湯器コントローラ６は、タンクコントローラ５から燃焼禁止指令を受けると、缶体４での燃焼動作を強制的に停止する。これにより、以後、タンクユニット２から接続配管４１を経由して補助熱源機３に供給される湯水は、非燃焼状態の缶体４を素通りして給湯栓Ｋに供給されることになる。すなわち、貯湯タンク２１内の高温水が出力され、混合部２７で設定温度に調整された湯水が接続配管４１を経由して補助熱源機３に供給されることになる。
【００７１】
この湯水の供給前に、接続配管４１内には既に冷えている残水（以下、冷残水とも称する）が滞留しているため（Ｓ０２にてＹＥＳ）、この冷残水がタンクユニット２から出力される湯水よりも先に補助熱源機３に先に入水することになる。したがって、ステップＳ０４で補助熱源機３の燃焼が許可されると、給湯器コントローラ６は、燃焼動作を開始した缶体４によって冷残水を加熱して給湯栓Ｋに送る。そして、接続配管４１内の冷残水が通過してしまえば（Ｓ０６にてＹＥＳ）、続いてタンクユニット２から設定温度に調整された湯水が補助熱源機３に入水される。この湯水はステップＳ０７で燃焼が禁止された補助熱源機３を素通りして給湯栓Ｋに送られることになる。
【００７２】
これに対して、ステップＳ０１に戻って、貯湯タンク２１内に高温水が所定量以上無い場合（Ｓ０１にてＮＯ）、タンクコントローラ５は、接続配管４１内が冷えているか否かを判定する（ステップＳ０８）。タンクコントローラ５は、ステップＳ０２と同様にして、温度センサ３５により検出される入水温度が基準温度（設定温度−ΔＴ℃）よりも低いか否かを判定する。
【００７３】
補助熱源機３への入水温度が基準温度よりも低い場合（Ｓ０８にてＹＥＳ）、タンクコントローラ５は、接続配管４１内が冷えていると判定し、給湯器コントローラ６に対して燃焼許可指令を出力する（ステップＳ０９）。タンクコントローラ５は、以降の給湯制御（給湯器コントローラ６による燃焼動作の開始／停止）を給湯器コントローラ６の独自の制御に委ねる。これにより、タンクユニット２から補助熱源機３へ低温水が供給されたとしても、その低温水は給湯器コントローラ６の独自の給湯制御によって設定温度にまで加熱された上で給湯栓Ｋから供給されることになる。
【００７４】
一方、補助熱源機３への入水温度が基準温度よりも高い場合（Ｓ０８にてＮＯ）、タンクコントローラ５は、接続配管４１内が冷えていないと判定する。この場合、タンクコントローラ５は、給湯器コントローラ６に対して燃焼禁止指令を出力する（ステップＳ１０）。
【００７５】
タンクコントローラ５は、補助熱源機３の流量センサ３６により検出される流量がＭＯＱを超えたか否かを判定する（ステップＳ１１）。流量がＭＯＱを超えていない場合（Ｓ１１にてＮＯ）、タンクコントローラ５は処理を終了する。
【００７６】
一方、燃焼が禁止された状態で流量がＭＯＱを超えると（ＭＯＱがＯＮすると）（Ｓ１１にてＹＥＳ）、タンクコントローラ５は、流量センサ２４４の出力信号に基づいた給湯管２４１を通流する湯水の流量の積算値と設定配管容量Ｐ１とを比較することにより、設定配管容量Ｐ１分の湯水が補助熱源機３を通過したか否かを判定する（ステップＳ１２）。
【００７７】
流量積算値が設定配管容量Ｐ１に到達していれば、タンクコントローラ５は、設定配管容量Ｐ１分の湯水が通過したと判定し（Ｓ１２にてＹＥＳ）、給湯器コントローラ６へ燃焼許可指令を出力する（ステップＳ１３）。一方、流量積算値が設定配管容量Ｐ１に満たなければ、タンクコントローラ５は、ステップＳ１１に戻り、流量積算値と設定配管容量Ｐ１との比較をＭＯＱがＯＮである限り継続する。
【００７８】
すなわち、前回の給湯運転の終了からそれほど時間が経過していないため、接続配管４１内に設定温度に近い残水が滞留している状態であれば、次に給湯運転が再開されたとしても、その設定温度に近い残水が補助熱源機３に即座に入水することになる。そのため、缶体４における燃焼動作を開始すると、この残水が設定温度よりも高温となって給湯栓Ｋから出湯されることが懸念される。
【００７９】
そこで、タンクコントローラ５は、接続配管４１内が冷えていなければ（Ｓ０８にてＮＯ）、給湯器コントローラ６に対して燃焼禁止指令を出力しておくこととする（ステップＳ１０）。よって、流量センサ３６により検出される流量がＭＯＱを超えると（Ｓ１１にてＹＥＳ）、接続配管４１内に滞留していた設定温度近くの残水が補助熱源機３に入水することになる。
【００８０】
タンクコントローラ５は、流量センサ２４４により通過する湯水の流量を積算し、その流量積算値と設定配管容量Ｐ１とを比較することにより、設定配管容量Ｐ１分の湯水が補助熱源機３を通過したか否かを判定する（ステップＳ１２）。設定配管容量Ｐ１分の湯水が補助熱源機３を通過すれば（Ｓ１２にてＹＥＳ）、次はタンクユニット２から低温水が入水されることになるため、タンクコントローラ５は給湯器コントローラ６に対して燃焼許可指令を出力する（ステップＳ１３）。これにより、補助熱源機３では、本来の給湯制御に基づいて燃焼動作が開始され、以後、タンクユニット２から接続配管４１を経由して給湯される低温水が燃焼状態の補助熱源機３によって設定温度まで加熱された上で給湯栓Ｋに供給されることになる。
【００８１】
図４は、給湯器コントローラ６における給湯最適化処理を説明するためのフローチャートである。図４のフローチャートは予めプログラムとしてメモリ６０４に格納される。マイクロコンピュータ６０２は、プログラムをメモリ６０４から読み出し実行することにより図４に示される処理が実現される。
【００８２】
図３に示したように、給湯最適化処理の実行中、給湯器コントローラ６にはタンクコントローラ５から燃焼許可指令および燃焼禁止指令が与えられる。図４を参照して、給湯器コントローラ６は、タンクコントローラ５から燃焼許可指令を受信したか否かを判定する（ステップＳ２１）。燃焼許可指令を受信していない場合（Ｓ２１にてＮＯ）、すなわち補助熱源機３が燃焼禁止状態である場合には、給湯器コントローラ６は処理を終了する。
【００８３】
一方、タンクコントローラ５から燃焼許可指令を受信した場合（Ｓ２１にてＹＥＳ）、給湯器コントローラ６は、補助熱源機３の流量センサ３６により検出される流量がＭＯＱを超えたか否かを判定する（ステップＳ２２）。流量がＭＯＱを超えていない場合（Ｓ２２にてＮＯ）、給湯器コントローラ６は処理を終了する。
【００８４】
一方、燃焼が許可された状態で流量がＭＯＱを超えると（ＭＯＱがＯＮすると）（Ｓ２２にてＹＥＳ）、給湯器コントローラ６は、缶体４での燃焼動作を開始する（ステップＳ２３）。給湯器コントローラ６は、本来の燃焼制御に基づいて燃焼バーナ３３の燃焼動作を開始するとともに、給湯温度が設定温度に一致するように、流量調整弁３８１の開度および、缶体４での発生熱量（すなわち、燃焼バーナ３３への供給熱量）を制御する。この結果、補助熱源機３では、熱交換器３２で缶体４の設定温度にまで加熱された湯水がバイパス管３８から供給される湯水と混合され、給湯設定温度で出湯管３４および給湯配管４２を経由して給湯栓Ｋに向けて出力される。
【００８５】
この給湯中において、給湯器コントローラ６は、タンクコントローラ５からの燃焼禁止指令を受信したか否かを判定する（ステップＳ２４）。燃焼禁止指令を受信していなければ（Ｓ２４にてＮＯ）、給湯器コントローラ６はステップＳ２３に戻り、燃焼動作を継続する。
【００８６】
一方、タンクコントローラ５から燃焼禁止指令を受信した場合（Ｓ２４にてＹＥＳ）には、給湯器コントローラ６は、缶体４での燃焼動作を停止する（ステップＳ２５）。
【００８７】
ここで、図３で説明したように、缶体４での燃焼動作を停止すると、以後、補助熱源機３にはタンクユニット２から設定温度に調整された湯水が接続配管４１を経由して入水されることになる。この入水された湯水は、非燃焼状態の缶体４を素通りして給湯栓Ｋに送られる。
【００８８】
しかしながら、缶体４での燃焼動作を停止した時点において、入水管３１および熱交換器３２の一部分には、未だ加熱されていない非加熱の湯水が存在する場合がある。この非加熱水は、燃焼動作の停止後、補助熱源機３内の冷残水となり得る。
【００８９】
上述したように、流量調整弁３８１は、補助熱源機３によるバックアップ出湯からタンクユニット２による出湯に移行すると、バイパス管３８の流量が最大となるように弁ポジションがバイパス管３８側全開に調整される。ただし、タンクユニット２による出湯への移行時において、タンクユニット２からの湯水が補助熱源機３に入水するよりも前に、この冷残水が給湯栓Ｋに送られて出湯されることになる。したがって、燃焼動作の停止後において給湯温度の一時的な変動が生じるおそれがある。
【００９０】
そこで、図４のステップＳ２６に示すように、給湯器コントローラ６は、缶体４での燃焼動作の停止後において、補助熱源機３内の冷残水を加熱するための冷残水加熱処理を実行することとする。
【００９１】
（冷残水加熱処理）
以下では、補助熱源機３における冷残水加熱処理について説明する。
【００９２】
最初に、図５に示す作動原理図を用いて、補助熱源機３における燃焼動作について詳細に説明する。
【００９３】
図５を参照して、補助熱源機３は送風ファン４００をさらに備える。缶体４において、燃焼バーナ３３から出力された燃料ガスは、送風ファン４００からの燃焼用空気と混合される。図示しない点火装置によって混合気が着火されることにより、燃料ガスが燃焼されて火炎が生じる。燃焼バーナ３３からの火炎によって生じる燃焼熱は、缶体４内で熱交換器３２に与えられる。
【００９４】
熱交換器３２は、一次熱交換器３２ａおよび二次熱交換器３２ｂを有する。一次熱交換器３２ａは、燃焼バーナ３３による燃焼ガスの顕熱（燃焼熱）により入水を熱交換によって加熱する。一次熱交換器３２ａは、入水が通流する流水管３２０と、プレート状のフィン３２５とを有する。二次熱交換器３２ｂは、燃焼バーナ３３からの燃焼排ガスの潜熱によって通流された水を熱交換によって加熱する。缶体４の燃焼ガスの流れ方向下流側には、熱交換後の燃焼排ガスを排出するための排気経路７が設けられる。
【００９５】
このように缶体４は、タンクユニット２から入水管３１に導入された湯水を二次熱交換器３２ｂおよび一次熱交換器３２ａの順に流し、燃焼バーナ３３での燃焼による発生熱量によって一次熱交換器３２ａおよび二次熱交換器３２ｂで加熱した温水を給湯栓Ｋから出力させる。
【００９６】
燃焼バーナ３３へのガス供給管３３２には、元ガス電磁弁３３４、ガス比例弁３３６および能力切換弁３５０ａ〜３５０ｃが配置される。元ガス電磁弁３３４は、燃焼バーナ３３への燃焼ガスを供給／遮断する機能を有する。ガス供給管３３２のガス流量は、ガス比例弁３３６の開度に応じて制御される。
【００９７】
能力切換弁３５０ａ〜３５０ｃは、複数の燃焼バーナ３３のうちの、燃料ガスの供給対象となるバーナ本数を切り換えるために制御される。缶体４での発生熱量は、バーナ本数およびガス流量の組み合わせによって決まる、燃焼バーナ３３全体への供給熱量に比例する。したがって、要求発生熱量に対応させて、能力切換弁３５０ａ〜３５０ｃの開閉パターン（バーナ本数）およびガス比例弁３３６の開度（ガス流量）の組み合わせを決定する設定マップを予め作成することができる。
【００９８】
送風ファン４００による総風量は、燃焼バーナ３３全体からの供給熱量との空燃比が所定値（例えば理論空燃比）となるように制御される。送風ファン４００の送風量は、ファン回転速度と比例するので、送風ファン４００の回転速度は、供給熱量に応じて設定された目標回転速度に従って制御される。送風ファン４００には、ファン回転速度を検出するための回転速度センサ４０２が配置される。
【００９９】
給湯器コントローラ６は、各センサからの出力信号およびタンクコントローラ５からの制御指令を受けて、補助熱源機３の全体動作を制御するための制御指令を発生する。制御指令には、各弁の開閉および開度指令、送風ファン４００への電気的入力指令などが含まれる。
【０１００】
給湯器コントローラ６は、タンクコントローラ５から燃焼許可指令を受けると、流量センサ３６によって検出される流量がＭＯＱを超えるのに応じて、缶体４での燃焼動作を開始する。燃焼動作が開始されると、元ガス電磁弁３３４が開放されて、燃焼バーナ３３への燃料ガスの供給が開始される。
【０１０１】
給湯器コントローラ６は、燃焼動作時には、温度センサ３７により検出される給湯温度が設定温度に一致するように、流量調整弁３８１の開度および、缶体４での発生熱量を制御する。
【０１０２】
次に、給湯器コントローラ６による缶体４での発生熱量の制御についてさらに説明する。
【０１０３】
図５に示すように、缶体４内において、複数の燃焼バーナ３３は、ガス供給管３３２に対して並列に配置されており、火炎形成部を構成する。火炎形成部は、３つの燃焼領域（上流側燃焼領域α、中流側燃焼領域β、下流側燃焼領域γ）に区画されている。
【０１０４】
上流側燃焼領域αには、３本のバーナで形成される第１バーナグループ３３０ａが配置される。第１能力切換弁３５０ａは第１バーナグループ３３０ａに対応している。したがって、第１能力切換弁３５０ａを開閉することにより、第１バーナグループ３３０ａへの燃料ガスの供給および遮断を行なうことができる。
【０１０５】
中流側燃焼領域βには、２本のバーナで形成される第２バーナグループ３３０ｂが配置される。第２能力切換弁３５０ｂは第２バーナグループ３３０ｂに対応している。したがって、第２能力切換弁３５０ｂを開閉することにより、第２バーナグループ３３０ｂへの燃料ガスの供給および遮断を行なうことができる。
【０１０６】
下流側燃焼領域γには、５本のバーナで形成される第３バーナグループ３３０ｃが配置される。第３能力切換弁３５０ｃは第３バーナグループ３３０ｃに対応している。したがって、第３能力切換弁３５０ｃを開閉することにより、第３バーナグループ３３０ｃへの燃料ガスの供給および遮断を行なうことができる。
【０１０７】
すなわち、３つの能力切換弁３５０ａ〜３５０ｃは、燃焼領域ごとに独立して燃料ガスの供給および遮断を行なうことができる。
【０１０８】
図６は、一次熱交換器３２ａにおける湯水の流れを説明するための図である。
図６に示すように、一次熱交換器３２ａの流水管３２０は水平方向に蛇行して延びる配管である。流水管３２０は、湯水が流入する入水管部３２１と、図示しない複数のフィン３２２を貫通して延びる複数の直状管部３２２と、隣接する直状管部３２２の端部同士を繋ぐベンド管部３２３と、湯水が流出する出水管部３２４とを有する。
【０１０９】
流水管３２０は、湯水の流れ方向の上流側から、入水管部３２１、１番目の直状管部３２２ａ、１番目のベンド管部３２３ａ、２番目の直状管部３２２ｂ、２番目のベンド管部３２３ｂ、・・・１２番目のベンド管部３２３ｌ、１３番目の直状管部３２２ｍ、出水管部３２４が順に連結された構成となっている。
【０１１０】
このような構成とすることにより、入水管部３２１から流入された湯水は、直状管部３２２およびベンド管部３２３を交互に通過して１３番目の直状管部３２２ｍから出水管部３２４へと至り、出水管部３２４から出湯管３４へ出力される。
【０１１１】
ここで、一次熱交換器３２ａを、湯水の流れ方向に沿って３つの領域に分割する。湯水の流れ方向上流側から順に上流部Ａ、中流部Ｂ、下流部Ｃとする。図５に示すように、上流部Ａ、中流部Ｂ、下流部Ｃの下方には、燃焼バーナ３３の上流側燃焼領域α、中流側燃焼領域β、下流側燃焼領域γがそれぞれ配置されている。
【０１１２】
すなわち、火炎形成部の３つの燃焼領域（上流側燃焼領域α、中流側燃焼領域β、下流側燃焼領域γ）と、３つのバーナグループ（第１バーナグループ３３０ａ、第２バーナグループ３３０ｂ、第３バーナグループ３３０ｃ）とは、一次熱交換器３２ａにおける湯水の流れ方向上流側から順に並列して配置されている。
【０１１３】
なお、３つのバーナグループの燃焼動作時の発生熱量は、各グループを構成するバーナ本数に比例する。したがって、第３バーナグループ３３０ｃ、第１バーナグループ３３０ａ、第２バーナグループ３３０ｂの順で発生熱量が大きくなる。
【０１１４】
また、３つの燃焼領域の広さは、各燃焼領域に対応するバーナグループのバーナ数に比例する。したがって、図５の例では、下流側燃焼領域γ、上流側燃焼領域α、中流側燃焼領域βの順に燃焼領域が広くなっている。
【０１１５】
上述したように、給湯器コントローラ６は、燃焼動作時において、温度センサ３７により検出される給湯温度が給湯設定温度に一致するように、缶体４での発生熱量を制御する。具体的には、給湯器コントローラ６は、要求発生熱量に応じて、燃料ガスの供給対象となるバーナ本数を変更する。図５の例では、給湯器コントローラ６は、バーナ本数を５段階で切り替えることができる。ガス流量が一定である場合、段数が上がるに従って発生熱量が大きくなる。
【０１１６】
図７は、図５に示す燃焼バーナ３３における燃焼動作の段数の変更を説明するための図である。
【０１１７】
図７を参照して、１段の状態では、第２バーナグループ３３０ｂのみで燃焼動作を実行する。すなわち、第２能力切換弁３５０ｂを開状態とし、第１能力切換弁３５０ａおよび第３能力切換弁３５０ｃを閉状態とする。これにより、中流側燃焼領域βのみで火炎が形成される。
【０１１８】
２段の状態では、第１バーナグループ３３０ａのみで燃焼動作を実行する。すなわち、第１能力切換弁３５０ａを開状態とし、第２能力切換弁３５０ｂおよび第３能力切換弁３５０ｃを閉状態とする。これにより、上流側燃焼領域αのみで火炎が形成される。なお、２段の状態では、１段の状態に比べて、燃焼領域が広くなっているため、発生熱量が大きくなっている。
【０１１９】
３段の状態では、第１バーナグループ３３０ａおよび第２バーナグループ３３０ｂで燃焼動作を実行する。すなわち、第１能力切換弁３５０ａおよび第２能力切換弁３５０ｂを開状態とし、第３能力切換弁３５０ｃを閉状態とする。これにより、上流側燃焼領域αおよび中流側燃焼領域βで火炎が形成される。３段の状態では、２段の状態に比べて、燃焼領域が広くなっているため、発生熱量が大きくなっている。
【０１２０】
４段の状態では、第２バーナグループ３３０ｂおよび第３バーナグループ３３０ｃで燃焼動作を実行する。すなわち、第２能力切換弁３５０ｂおよび第３能力切換弁３５０ｃを開状態とし、第１能力切換弁３５０ａを閉状態とする。これにより、中流側燃焼領域βおよび下流側燃焼領域γで火炎が形成される。４段の状態では、３段の状態に比べて、燃焼領域が広くなっているため、発生熱量が大きくなっている。
【０１２１】
５段の状態では、第１バーナグループ３３０ａ、第２バーナグループ３３０ｂおよび第３バーナグループ３３０ｃで燃焼動作を実行する。すなわち、第１能力切換弁３５０ａ、第２能力切換弁３５０ｂおよび第３能力切換弁３５０ｃを開状態とする。これにより、上流側燃焼領域α、中流側燃焼領域βおよび下流側燃焼領域γで火炎が形成される。５段の状態では、４段の状態に比べて、燃焼領域が広くなっているため、発生熱量が大きくなっている。
【０１２２】
なお、段数を切り替えるときには、ガス比例弁３３６を開度を調整することで、切り替え前後における発熱量を同等とすることができる。よって、段数の切り替え前後で発熱量を滑らかに変化させることができる。
【０１２３】
ここで、燃焼バーナ３３が燃焼動作を実行しているときに、給湯器コントローラ６がタンクコントローラ５から燃焼禁止指令を受信した場合を想定する。
【０１２４】
例えば１段の状態で燃焼動作を実行しているときに、給湯器コントローラ６が燃焼禁止指令を受信したものとする。上述したように、給湯器コントローラ６は、燃焼禁止指令を受信すると、燃焼動作を強制的に停止する。
【０１２５】
図７に示すように、１段の状態では、中流側燃焼領域βのみ火炎が形成され、上流側燃焼領域αおよび下流側燃焼領域γでは火炎が形成されていない。そのため、一次熱交換器３２ａでは、中流部Ｂを流れている湯水が主に加熱され、上流部Ａおよび下流部Ｃを流れている湯水はほとんど加熱されないことになる。したがって、１段の状態で燃焼動作を停止すると、すなわち中流部Ｂの加熱を停止すると、上流部Ａを流れている湯水は、ほとんど加熱されないまま、一次熱交換器３２ａ内の冷残水となり得る。そして、上流部Ａから中流部Ｂに流入した冷残水は、中流部Ｂで加熱されることなく、下流部Ｃを通過して出湯管３４へ出力される。その結果、タンクユニット２から湯水が補助熱源機３に入水されるよりも前に、この冷残水が給湯栓Ｋに送られて出力されることになる。
【０１２６】
そこで、給湯器コントローラ６は、燃焼禁止指令を受信すると、燃焼バーナ３３の燃焼動作を停止した後に冷残水加熱処理を実行することにより、補助熱交換器３２ａ内の冷残水に起因した給湯温度の変動を抑制する。
【０１２７】
図８は、給湯器コントローラ６による冷残水加熱処理を概念的に説明するための概略図である。図８では、説明の便宜上、一次熱交換器３２ａおよび二次熱交換器３２ｂの各々の流水管を直線で表現している。タンクユニット２から接続配管４１を経由して補助熱源機３の入水管３１に入水された湯水は、二次熱交換器３２ｂおよび一次熱交換器３２ａを通過することで加熱された後、出湯管３４および給湯配管４２を通過して給湯栓Ｋから出力される。すなわち、補助熱源機３内における湯水の流れ方向は、図８の左側から右側に向かう方向となる。
【０１２８】
図８（Ａ）は、１段の状態で燃焼動作を実行している場合の湯水の状態を示している。図８（Ａ）では、高温の湯水が流れている流路を黒太線で示し、低温の湯水が流れている流路を斜線で示している。
【０１２９】
１段の状態では、第２バーナグループ３３０ｂのみで燃焼動作を実行するため、中流側燃焼領域βのみ火炎が形成される。よって、一次熱交換器３２ａの中流部Ｂを流れている湯水が主に加熱される。したがって、一次熱交換器３２ａでは、中流部Ｂおよび下流部Ｃに高温の湯水が流れる一方で、上流部Ａには低温の湯水が流れることになる。なお、上流部Ａよりも上流側の二次熱交換器３２ｂおよび入水管３１ならびにバイパス管３８にも低温の湯水が流れている。
【０１３０】
この状態で、接続配管４１の設定配管容量Ｐ１分の湯水が補助熱源機３を通過すると、図８（Ａ）に示すように、接続配管４１内の冷残水が補助熱源機３に入水することに伴って、接続配管４１内にはタンクユニット２から設定温度に調整された温水が入水されることになる。したがって、タンクコントローラ５は、給湯器コントローラ６に対して燃焼禁止指令を出力する（図３のステップＳ０７に相当）。
【０１３１】
しかしながら、補助熱源機３では、燃焼禁止指令を受けて１段の状態で燃焼動作を停止すると、一次熱交換器３２ａの上流部Ａ、二次熱交換器３２ｂおよび入水管３１を流れる湯水は、ほとんど加熱されないまま、補助熱源機３内の冷残水となり得る。その後、接続配管４１内を流れる高温の湯水が補助熱源機３に入水されることで、この温水に先んじて補助熱源機３内の冷残水が給湯栓Ｋから出力されることになる。
【０１３２】
そこで、給湯器コントローラ６は、タンクコントローラ５から燃焼禁止指令を受信すると、以下の手順に従って補助熱源機３内の冷残水を加熱する処理を実行する。
【０１３３】
図８（Ｂ）を参照して、最初に、給湯器コントローラ６は、一次熱交換器３２ａ内の冷残水を加熱する処理を実行する。具体的には、給湯器コントローラ６は、燃焼禁止指令を受信した時点において燃焼状態である燃焼領域を非燃焼状態に遷移させるとともに、当該燃焼領域に対して湯水の流れ方向の上流側に位置する燃焼領域を非燃焼状態から燃焼状態に遷移させる。
【０１３４】
図８（Ａ）の例では、燃焼禁止指令を受信した時点において中流側燃焼領域βが燃焼状態であることから、給湯器コントローラ６は、中流側燃焼領域βを非燃焼状態に遷移させるとともに、上流側燃焼領域αを非燃焼状態から燃焼状態に遷移させる。具体的には、給湯器コントローラ６は、第２能力切換弁３５０ｂを開状態から閉状態に切り替えるとともに、第１能力切換弁３５０ａを閉状態から開状態に切り替える。これにより、第２バーナグループ３３０ｂに代えて、第１バーナグループ３３０ａで燃焼動作を実行させる。
【０１３５】
このようにすると、燃焼禁止指令を受信した時点において一次熱交換器３２ａの上流部Ａを流れる低温の湯水が加熱されて温度が上昇する。ただし、上流側燃焼領域αの燃焼時間が長くするに従って上流部Ａを流れる湯水の温度が高くなることから、上流部Ａの湯水が設定温度よりも高温になり、却って設定温度よりも高温の湯水を給湯栓Ｋから出力させてしまうおそれがある。したがって、上流側燃焼領域αの燃焼時間を規定する基準時間Ｔ１は、上流部Ａを流れる湯水の温度が設定温度に近いレベルに上昇させることができる時間に予め設定されている。基準時間Ｔ１は、一次熱交換器３２ａの流水管３２０（図６参照）の容量および代表的な流量（または平均流量）ならびに上流側燃焼領域αの発生熱量などに基づいて設定することができる。
【０１３６】
基準時間Ｔ１は例えば１秒程度である。基準時間Ｔ１は「第２の基準時間」の一実施例に対応する。給湯器コントローラ６は、基準時間Ｔ１だけ上流部Ａを加熱した後、上流側燃焼領域αを非燃焼状態に遷移させる。これにより、３つの燃焼領域は全て非燃焼状態になる。
【０１３７】
次に、給湯器コントローラ６は、二次熱交換器３２ｂおよび入水管３１内の冷残水を加熱する処理を実行する。具体的には、給湯器コントローラ６は、上流側燃焼領域αを非燃焼状態に遷移させた後、燃焼動作を停止した状態で、二次熱交換器３２ｂおよび入水管３１内の冷残水が一次熱交換器３２ａ内に導入されるのを待つ。
【０１３８】
このとき、給湯器コントローラ６は、燃焼禁止指令を受信した時点以降において、入水管３１および二次熱交換器３２ｂの設定容量Ｐ２分の湯水が補助熱源機３を通過した場合、入水管３１および二次熱交換器３２ｂ内の冷残水が一次熱交換器３２ａ内に導入されたと判定する。
【０１３９】
なお、二次熱交換器３２ｂおよび入水管３１の設定容量Ｐ２は、上述した接続配管４１の配管容量Ｐ１と同様の方法によって取得することができる。例えば、入水管３１に入水された湯水が二次熱交換器３２ｂを通って一次熱交換器３２ａに入水するまでの到達時間の間に流量を積算し、得られた積算値を入水管３１および二次熱交換器３２ｂの設定容量Ｐ２として記憶する。あるいは、上記到達時間内に大きな流量の変動がないと仮定して、到達時間および代表的な流量（または平均流量）を計測し、これら２つの計測値を乗じて得られる容量を設定容量Ｐ２とすることができる。
【０１４０】
給湯器コントローラ６は、流量センサ３６の出力信号に基づいた入水管３１を通流する湯水の流量の積算値と設定容量Ｐ２とを比較することにより、設定容量Ｐ２分の湯水が熱交換器３２を通過したか否かを判定する。流量積算値が設定容量Ｐ２に到達していれば、給湯器コントローラ６は、設定容量Ｐ２分の湯水が通過したと判定する。
【０１４１】
設定容量Ｐ２分の湯水が通過すると、図８（Ｃ）に示すように、燃焼禁止指令を受信した時点で二次熱交換器３２ｂおよび入水管３１内を流れていた低温の湯水は、接続配管４１から入水管３１に入水される高温の湯水よりも先に、一次熱交換器３２ａ内に流入された状態となる。給湯器コントローラ６は、この状態で再び燃焼動作を実行する。
【０１４２】
この燃焼動作では、給湯器コントローラ６は、３つの燃焼領域（上流側燃焼領域α、中流側燃焼領域β、下流側燃焼領域γ）のうち、下流側燃焼領域γを含む少なくとも１つの燃焼領域を燃焼状態に遷移させる。このように、湯水の流れ方向の最下流側の燃焼領域を少なくとも燃焼状態とすることで、一次熱交換器３２ａの下流部Ｃを通って出湯管３４に出力される冷残水を確実に加熱することができる。図８（Ｃ）の例では、３つの燃焼領域を全て燃焼状態に遷移させているが、下流側燃焼領域γのみ、あるいは中流側燃焼領域βおよび下流側燃焼領域γを燃焼状態に遷移させる構成としてもよい。
【０１４３】
このようにして一次熱交換器３２ａ内に集められた冷残水が加熱される。なお、３つの燃焼領域の燃焼時間を規定する基準時間Ｔ２は、上流部Ａ、中流部Ｂおよび下流部Ｃを流れる冷残水の温度を給湯設定温度に近いレベルに上昇させることができる時間に予め設定されている。基準時間Ｔ２は、一次熱交換器３２ａの流水管３２０（図６参照）の容量および代表的な流量（または平均流量）ならびに３つの燃焼領域の総発生熱量などに基づいて設定することができる。基準時間Ｔ２は例えば１〜３秒程度である。基準時間Ｔ２は「第１の基準時間」の一実施例に対応する。一次熱交換器３２ａ内の加熱された湯水は、接続配管４１からの高温水よりも先に給湯栓Ｋから出力される。すなわち、当該湯水が出力された後、接続配管４１からの高温水が給湯栓Ｋから出力される。
【０１４４】
なお、図８（Ｂ）および（Ｃ）における燃焼時間を予め設定された基準時間Ｔ１，Ｔ２で管理することとしたのは、温度センサ３４２または３７によって検出される温度に基づいて燃焼時間を管理すると、制御遅れ等の影響によって冷残水が設定温度よりも高温に加熱されてしまうことを抑制するためである。
【０１４５】
このようにして、給湯器コントローラ６は、燃焼禁止指令を受信すると、缶体４での燃焼動作を停止した後、熱交換器３２および入水管３１内の冷残水を加熱する処理を実行する。これによれば、燃焼禁止指令の発生直後において給湯温度が一時的に変動することを抑制することができる。
【０１４６】
図９は、冷残水加熱処理における燃焼領域の切り替えを説明するための図である。図９は、燃焼バーナ３３の段数（バーナ本数）と燃焼領域との関係を示している。図９中の黒丸は、各段数において燃焼状態となる燃焼領域を表している。図９中の白丸は、冷残水加熱処理において、非燃焼状態から燃焼状態に遷移される燃焼領域を表している。
【０１４７】
図８（Ｂ）で説明したように、１段の状態では、給湯器コントローラ６は、燃焼禁止指令を受信すると、中流側燃焼領域βを燃焼状態から非燃焼状態に遷移させるとともに、上流側燃焼領域αを非燃焼状態から燃焼状態に遷移させる。
【０１４８】
また、４段の状態では、給湯器コントローラ６は、燃焼禁止指令を受信すると、下流側燃焼領域γおよび中流側燃焼領域βを燃焼状態から非燃焼状態に遷移させるとともに、上流側燃焼領域αを非燃焼状態から燃焼状態に遷移させる。このように１段および４段の状態で燃焼禁止令を受信した場合には、給湯器コントローラ６は、上流側燃焼領域αを燃焼状態に遷移させることで上流部Ａを流れる湯水を加熱する。給湯器コントローラ６は、基準時間Ｔ１（例えば１秒程度）上流側燃焼領域αを燃焼状態とした後、非燃焼状態に遷移させる。
【０１４９】
これに対して、２段、３段および５段の状態では、缶体４での燃焼動作時に上流側燃焼領域αが燃焼状態となっているため、上流側に非燃焼状態の燃焼領域が存在しない。この場合、給湯器コントローラ６は、燃焼禁止指令を受信すると、燃焼状態の燃焼領域（少なくとも上流側燃焼領域αを含む）を非燃焼状態へ遷移させることで、３つの燃焼領域を全て非燃焼状態にする。
【０１５０】
さらに、給湯器コントローラ６は、各段での燃焼動作時に燃焼禁止指令を受信してから入水管３１および二次熱交換器３２ｂの設定容量Ｐ２分の湯水が通過すると、３つの燃焼領域のうち、下流側燃焼領域γを含む少なくとも１つの燃焼領域を燃焼状態に遷移させる。そして、少なくとも１つの燃焼領域を基準時間Ｔ２だけ燃焼状態とした後、給湯器コントローラ６は３つの燃焼領域を非燃焼状態に遷移させる。これにより、入水管３１および二次熱交換器３２ｂから一次熱交換器３２ａに流入した湯水を加熱する。
【０１５１】
図１０は、図４のステップＳ２６の冷残水加熱処理の手順を説明するためのフローチャートである。
【０１５２】
図４に示したように、給湯最適化処理の実行中、給湯器コントローラ６は、タンクコントローラ５から燃焼禁止指令を受信すると（図４のＳ２４のＹＥＳ判定時）、燃焼状態となっている燃焼領域における燃焼動作を停止する（図４のステップＳ２５）。給湯器コントローラ６は、燃焼状態の燃焼領域に対応する能力切換弁（能力切換弁３５０ａ〜３５０ｃの少なくとも１つ）を開状態から閉状態に切り替えることにより、対応するバーナグループ（バーナグループ３３０ａ〜３３０ｃの少なくとも１つ）の燃焼動作を停止する。
【０１５３】
次に、図１０を参照して、給湯器コントローラ６は、燃焼状態であった燃焼領域よりも湯水の流れ方向上流側に非燃焼状態の燃焼領域が有るか否かを判定する（ステップＳ２６１）。燃焼状態であった燃焼領域の上流側に非燃焼状態の燃焼領域が無い場合（Ｓ２６１のＮＯ判定時）、給湯器コントローラ６は処理をステップＳ２６５に進める。
【０１５４】
一方、燃焼状態であった燃焼領域の上流側に非燃焼状態の燃焼領域が有る場合（Ｓ２６１のＹＥＳ判定時）、給湯器コントローラ６は、非燃焼状態の燃焼領域を燃焼状態に遷移させる（ステップＳ２６２）。給湯器コントローラ６は、非燃焼状態の燃焼領域に対応する能力切換弁を閉状態から開状態に切り替えることにより、対応するバーナグループの燃焼動作を開始する。
【０１５５】
次に、給湯器コントローラ６は、ステップＳ２６２により燃焼動作を開始してから基準時間Ｔ１（第２の基準時間）が経過したか否かを判定する（ステップＳ２６３）。基準時間Ｔ１が経過していなければ（Ｓ２６３のＮＯ判定時）、給湯器コントローラ６は燃焼動作を継続する。
【０１５６】
一方、基準時間Ｔ１が経過すると（Ｓ２６３のＹＥＳ判定時）、給湯器コントローラ６は、燃焼動作を停止する（ステップＳ２６４）。
【０１５７】
次に、給湯器コントローラ６は、流量センサ３６の出力信号に基づいた入水管３１を通流する湯水の流量の積算値と設定容量Ｐ２とを比較することにより、設定容量Ｐ２分の湯水が熱交換器３２を通過したか否かを判定する（ステップＳ２６５）。
【０１５８】
流量積算値が設定容量Ｐ２に到達していれば、給湯器コントローラ６は、設定容量Ｐ２分の湯水が通過したと判定し（Ｓ２６５のＹＥＳ判定時）、３つの燃焼領域のうち下流側燃焼領域γを含む少なくとも１つの燃焼領域を燃焼状態に遷移させる（ステップＳ２６６）。給湯器コントローラ６は、３つの能力切換弁３５０ａ〜３５０ｃのうち能力切換弁３５０ｃを含む少なくとも１つの能力切換弁を閉状態から開状態に切り替える。これにより、３つのバーナグループ３３０ａ〜３３０ｃのうち第３バーナグループ３３０ｃを含む少なくとも１つのバーナグループの燃焼動作を開始する。
【０１５９】
次に、給湯器コントローラ６は、ステップＳ２６６により燃焼動作を開始してから基準時間Ｔ２（第１の基準時間）が経過したか否かを判定する（ステップＳ２６７）。基準時間Ｔ２が経過していなければ（Ｓ２６７のＮＯ判定時）、給湯器コントローラ６は燃焼動作を継続する。一方、基準時間Ｔ２が経過すると（Ｓ２６７のＹＥＳ判定時）、給湯器コントローラ６は、燃焼動作を停止する（ステップＳ２６８）。
【０１６０】
以上説明したように、本実施の形態に係る給湯システムによれば、補助熱源機によるバックアップ出湯からタンクユニットによる出湯への移行時において、補助熱源機の缶体での燃焼動作を停止した後、熱交換器および入水管内の冷残水の加熱処理を実行することで、燃焼動作の停止後において給湯温度の一時的な変動を抑制することができる。
【０１６１】
なお、燃焼動作の停止後の給湯温度の変動を抑制するためには、上述した冷残水加熱処理に代えて、タンクユニットによる出湯への移行時にタンクユニットからの出湯温度を一時的に設定温度よりも上昇させる構成を採ることも考えられる。しかしながら、この構成では、タンクユニット側での出湯温度の制御が複雑化することが懸念される。本実施の形態による給湯システムでは、補助熱源機側で冷残水を瞬間的に加熱処理することから、タンクユニット側での複雑な制御を必要とすることなく、より簡易に給湯温度の変動を抑制することが可能となる。
【０１６２】
なお、上述した実施の形態では、燃焼バーナ３３の火炎形成部が３つの燃焼領域を有する構成について例示したが、火炎形成部が２以上の燃焼領域を有する燃焼バーナを備えた補助熱源機について本発明を適用することが可能である。
【０１６３】
また、上述した実施の形態では、補助熱源機３に対する燃焼許可指令および燃焼禁止指令をタンクコントローラ５が出力するように構成したが、これに代えて、給湯器コントローラ６自身がこれらの指令を出力する構成としてもよい。この場合、給湯器コントローラ６は、貯湯タンク２１の湯水が供給される接続配管４１の設定配管容量Ｐ１に相当する量の湯水が補助熱源機３に入力されたか否かについて、例えば、補助熱源機３の入水温度が給湯設定温度に基づく基準値以上に上昇したか否かに基づいて判断することができる。
【０１６４】
（冷残水加熱処理の他の適用例）
上述した実施の形態では、給湯最適化処理において冷残水加熱処理を実施する構成について説明したが、本発明の冷残水加熱処理は、図１１に示す温水暖房機能を備えた給湯システムにおいて、暖房動作から給湯動作へ移行する場合にも実施することができる。
【０１６５】
図１１に示す給湯システムにおいて、補助熱源機３は、タンクユニット２のバックアップ給湯器として機能し得るとともに、温水暖房装置としても機能し得る。補助熱源機３は、図１に示した補助熱源機３と比較して、循環回路５６、熱交換器５２、燃焼バーナ５３，シスターン５５、補水回路および配管５２１，５２２、５３２，５３３，５４１をさらに有する。
【０１６６】
補水回路は、配管５５１を有する。配管５５１は一方端がシスターン５５に接続され、他方端が補助熱源機３の外部に接続されている。
【０１６７】
循環回路５６は、配管５２１，５２２，５３１，５３２，５３３，５４１と、ポンプ５４とを有する。配管５４１は、一方端がシスターン５５に接続され、他方端が配管５３１の一方端および配管５３２の一方端の接続部に接続されている。配管５３１の他方端は熱交換器５２の一次熱交換器に接続されている。配管５３２の他方端は低温暖房端末６１に接続されている。配管５３３は、一方端が一次熱交換器に接続され、他方端が高温暖房端末６０に接続されている。
【０１６８】
配管５２１は、一方端において分岐している。一方端において分岐している配管５２１の一方は低温暖房端末６１に接続されている。一方端において分岐している配管５２１の他方は高温暖房端末６０に接続されている。配管５２１の他方端は熱交換器５２の二次熱交換器に接続されている。配管５２２は、一方端が二次熱交換器に接続され、他方端がシスターン５５に接続されている。ポンプ５４は、配管５４１の経路上に配置されており、シスターン５５に貯留されている水を循環回路５６に沿って循環させる（図１１中の矢印方向）。
【０１６９】
燃焼バーナ５３は、熱交換器５２の近傍に配置されている。熱交換器５２の一次熱交換器および二次熱交換器は、燃焼バーナ５３との間で熱交換を行なう。
【０１７０】
図１１に示す構成において、暖房動作時には、図示しない上水道から配管５５１を介して、シスターン５５に水が供給される。なお、配管５５１を介したシスターン５５への水の供給は、シスターン５５に貯留されている水の量が所定値以下である場合に行なわれ、シスターン５５に貯留されている水の量が所定値以上である場合に停止される。シスターン５５に貯留されている水の量が過剰になった場合、シスターン５５に貯留されている水は配管５５２を介して外部に排出される。
【０１７１】
シスターン５５に貯留されている水は、配管５４１および配管５３１を介して熱交換器５２の一次熱交換器に供給される。一次熱交換器に供給された水が昇温される。一次熱交換器で昇温された湯水は配管５３３を介して高温暖房端末６０に供給される。高温暖房端末６０は配管５３３を介して供給された湯水により暖房動作を行なう。高温暖房端末６０にて暖房動作を行なった湯水は配管５２１を介して、熱交換器５２の二次熱交換器に供給される。二次熱交換器に供給された湯水は昇温される。二次熱交換器にて昇温された湯水は配管５２２を介してシスターン５５に戻される。
【０１７２】
シスターン５５に貯留されている湯水は配管５４１および配管５３２を介して低温暖房端末６１に供給される。配管５４１および配管５３２を介して供給された湯水により低温暖房端末６１は暖房動作を行なう。低温暖房端末６１にて暖房動作を行なった湯水は配管５２１を介して二次熱交換器に供給される。二次熱交換器に供給された湯水は昇温される。二次熱交換器にて昇温された湯水は配管５２２を介してシスターン５５に戻される。
【０１７３】
図１１に示すように、温水暖房用の熱交換器５２および燃焼バーナ５３は、バックアップ給湯用の熱交換器３２および燃焼バーナ３３と同一の缶体４内に収納することができる。これにより、燃焼バーナ３３および燃焼バーナ５３の間で送風ファン４００（図５参照）を共用することができる。
【０１７４】
しかしながら、給湯動作の停止中に補助熱源機３が暖房動作を行なうと、補助熱源機３の缶体４内では、送風ファン４００から燃焼動作中の燃焼バーナ５３に供給される燃焼用空気が非燃焼状態の燃焼バーナ３３を介して熱交換器３２にも供給されるため、熱交換器３２内に滞留している湯水が冷やされる場合がある。この状態で流量がＭＯＱを超えて給湯動作を開始すると、熱交換器３２内の冷残水が給湯栓Ｋから出力される可能性がある。
【０１７５】
詳細には、図３で説明したように、貯湯タンク２１内に高温水は所定量以上有り、かつ、接続配管４１内が冷えていない場合（Ｓ０２にてＮＯ）、給湯器コントローラ６には燃焼禁止指令が出力される。この燃焼禁止指令に従って補助熱源機３の燃焼バーナ３３が燃焼動作を停止することで、冷残水がそのまま給湯栓Ｋから出力されることになる。
【０１７６】
そこで、給湯器コントローラ６は、暖房動作中または暖房動作後に流量がＭＯＱを超えた場合には、冷残水加熱処理を実行する構成とする。具体的には、給湯器コントローラ６は、流量がＭＯＱを超えた時間から基準時間Ｔ３、燃焼バーナ３３の３つの燃焼領域のうち少なくとも１つの燃焼領域を加熱状態に遷移させる。上記構成において、基準時間Ｔ３は、一次熱交換器３２ａの上流部Ａ、中流部Ｂおよび下流部Ｃを流れる冷残水の温度を給湯設定温度に近いレベルに上昇させることができる時間に予め設定されている。基準時間Ｔ３は例えば１〜３秒程度である。このようにすると、燃焼動作の停止中に冷やされた熱交換器３２内の湯水が給湯開始直後に出力されることを抑制することができる。
【０１７７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１７８】
１  主熱源装置、２  タンクユニット、３  補助熱源機、４  燃焼缶体（缶体）、５  タンクコントローラ、６  給湯器コントローラ、１０  熱源コントローラ、２１  貯湯タンク、３１  入水管、３２  熱交換器、３２ａ  一次熱交換器、３２ｂ  二次熱交換器、３３  燃焼バーナ、３４  出湯管、４１  接続配管、３３０ａ〜３３０ｃ  バーナグループ。
【図１】
2020085337.tif 000003
【図２】
2020085337.tif 000004
【図３】
2020085337.tif 000005
【図４】
2020085337.tif 000006
【図５】
2020085337.tif 000007
【図６】
2020085337.tif 000008
【図７】
2020085337.tif 000009
【図８】
2020085337.tif 000010
【図９】
2020085337.tif 000011
【図１０】
2020085337.tif 000012
【図１１】
2020085337.tif 000013